(57)【特許請求の範囲】
【請求項１】
上壁に、振出し孔を設けたキャップ本体と、該キャップ本体に廻動自在に取着され、振出し孔を開閉する栓体を設けた開閉蓋とを備えた振出し容器であって、
開閉蓋は、蓋体と蝶番機構とからなり、
蝶番機構が、キャップ本体に設けた軸受け部に軸支される角軸と、該角軸に取着されたばね基部より延び、その一端が開閉蓋の蓋体後端に連設されたうず巻きばねとからなり、
蓋体前縁の円弧壁の下端に、内方に膨出する係止部が設けられており、
キャップ本体に、前記係止部と係合する係合突起と、蓋体前縁を押上げ可能とした押えを設けていることを特徴とする振出し容器。
【請求項２】
ばね基部とうず巻きばねとが蓋体と一体成形によって成形されていることを特徴とする請求項１記載の振出し容器。
【請求項３】
角軸とばね基部とうず巻きばねとが蓋体と一体成形によって成形されていることを特徴とする請求項１記載の振出し容器。
【発明の詳細な説明】
【０００１】
【発明の属する技術分野】
本発明は、振出し容器、とくに粒状または粉体調味料の振出し容器の開閉蓋の蝶番機構に関する。
【０００２】
【従来の技術】
胡椒、ごま塩、スパイスなど粒状または粉体調味料の振出し容器において、例えば、図６に示すような振出し孔を塞ぐ開閉蓋を、開放方向に付勢するばねによって開放するようにした振出し容器は、従来より知られている。
【０００３】
図６において、Ａａは容器、Ｂａは容器Ａａの口部に被蓋され、振出し孔を塞ぐ開閉蓋Ｃａを廻動自在に取着したキャップ本体である。
開閉蓋Ｃａは、蝶番を構成する取付部ａに穿孔された軸孔に、キャップ本体Ｂａに軸支された蝶番ピンｂが嵌挿され、廻動自在としてキャップ本体Ｂａに取着されている。
そして、蝶番ピンｂには、キャップ本体Ｂａと開閉蓋Ｃａの裏面との間に弾装される金属製のばねｃが捲回されており、該ばねｃによって、開閉蓋Ｃａは開蓋方向に付勢されている。
【０００４】
【発明が解決しようとする課題】
しかしながら、上記従来容器の蝶番機構は、キャップ本体と開閉蓋の他に、別体の蝶番ピンｂとばねｃを必要とし、部品数が多くなっていた。
また、蝶番機構は、蝶番ピンｂを取付部ａの軸孔とばねｃの捲回部に嵌挿するため、蝶番機構の形成は簡単にはできなかった。
また、蝶番ピンｂ、ばねｃは、金属製であるため、容器使用後の廃棄にあたって、合成樹脂に金属が混入するという問題があり、金属を分別しようとしても、蝶番機構部の分解が容易にできなかった。
【０００５】
本発明は、上記の問題を解決することを課題とし、蝶番ピンとばねを合成樹脂で成形し、さらにそれらを開閉蓋と一体成形した振出し容器を提供することを目的とする。
【０００６】
【課題を解決する手段】
本発明は、上記の課題を解決するため、振出し容器として、上壁に、振出し孔を設けたキャップ本体と、該キャップ本体に廻動自在に取着され、振出し孔を開閉する栓体を設けた開閉蓋とを備えた振出し容器であって、開閉蓋は、蓋体と蝶番機構とからなり、蝶番機構が、キャップ本体に設けた軸受け部に軸支される角軸と、該角軸に取着されたばね基部より延び、その一端が開閉蓋の蓋体後端に連設されたうず巻きばねとからなり、蓋体前縁の円弧壁の下端に、内方に膨出する係止部が設けられており、キャップ本体に、前記係止部と係合する係合突起と、蓋体前縁を押上げ可能とした押えを設けていることを特徴とする構成を採用する。
【０００７】
蝶番機構の形成にあたって、ばね基部とうず巻きばねとが蓋体と一体成形によって成形されていることを特徴とする構成、または、角軸とばね基部とうず巻きばねとが蓋体と一体成形によって成形されていることを特徴とする構成を採用する。
【０００８】
【発明の実施の形態】
次に、本発明の実施形態について、図面を参照して説明する。
図１，２において、Ａは容器、Ｂはキャップ本体、Ｃはキャップ本体Ｂに廻動自在に取着された開閉蓋であり、容器Ａは、ガラスまたは合成樹脂で成形され、キャップ本体Ｂと開閉蓋Ｃは、合成樹脂によって成形されている。
容器Ａは、口部１と胴部２、底部とからなり、口部１には、ねじ３が螺設されている。
【０００９】
図３，４に示すように、キャップ本体Ｂは、側周壁４と頂壁５とを具えており、側周壁４の内側には、頂壁５から側周壁４の中間部に至る内筒６が垂設されている。
側周壁４と頂壁５には、前後に通じる切欠７が形成され、その後部には蝶番機構を配設するために、コ字状に位置する側壁８ａ，８ｂと内側壁９及び底壁１０によって凹部１１が形成されている。
側壁８ａ，８ｂには、上部に二又状の軸受け部１２を設けた蝶番受け１３が対向する位置に突設されている。
【００１０】
切欠７の前部には、側周壁４に縦方向の切れ目１４が入れられ、前面を凹凸面とし、上端を内側に傾斜する円弧状の傾斜面１５とした押え１６が設けられている。
切欠７の中央部には、上面に複数の振出し孔１７を穿孔し、頂壁５との間に一定の段差をもって形成された上壁１８が連設され、その後側縁は内側壁９に接続し、前側縁は内筒６に続いている。
【００１１】
頂壁５と上壁１８との間には、前記側壁８ａ，ｂに連続する細巾の壁面１９が連設されており、上壁１８と交差する部分の内筒６の上端には、係合突起２０が設けられている。
【００１２】
側周壁４の下部の内周には、口部１のねじ３に螺合するねじ２１が螺設されており、凹部１１に対応する側周壁４の上端は、底壁１０より突出して開閉蓋Ｃのための係止部２２となっている。
【００１３】
図５に示すように、開閉蓋Ｃは、蓋体Ｃ１と蝶番機構Ｃ２とからなり、一体成形によって成形されている。
蓋体Ｃ１の頂壁３０前縁には、円弧壁３１が垂設されており、後縁には蝶番機構Ｃ２に連続する円弧壁３２が垂設されている。
裏面には、振出し孔１７を塞ぐ複数の栓体３３が、振出し孔１７に対応する位置に突設されている。
【００１４】
頂壁３０、円弧壁３１，３２の表面は、キャップ本体Ｂの頂壁５、側周壁４とともに、一つのドーム形の表面を形成し、キャップ本体Ｂの上部の壁面を補完する形状となっている。
円弧壁３１の下端には、内方に膨出する係止部３４が設けられており、円弧壁３２の下端には外方に突出する係止部３５が設けられている。
【００１５】
蝶番機構Ｃ２は、キャップ本体Ｂの軸受け部１２に挟持される角軸３６と、該角軸３６の中央部に角軸３６を包囲する一定巾のばね基部３７と、該ばね基部３７から帯状に延びる長方形断面をもったうず巻きばね３８とからなっている。
うず巻きばね３８の端部は、円弧壁３２の下端部に連続しており、ばねの強さは、うず巻きばねを巻き戻させた状態で、少なくとも円弧壁３２の係止部３５がキャップ本体Ｂの係止部２２に係止され、閉蓋時に巻き締められたときに、ばねの変形が素材樹脂の弾性変形の限度内であればよく、断面形状、巻き数等は適宜に設定することができる。
【００１６】
開閉蓋Ｃのキャップ本体Ｂへの取付にあたっては、キャップ本体Ｂの軸受け部１２に上方から角軸３６を嵌挿し、頂壁３０を押圧廻動させると、円弧壁３１の係止部３４が内筒６の係合突起２０に係合することによって、うず巻きばね３８が巻き締められ、閉蓋される。
【００１７】
次に、容器の使用態様と作用効果について説明する。
押え１６を押圧すると、上端の傾斜面１５が頂壁３０の円弧壁３１下端を押し上げ、係止片３４は、係合突起２０を乗り越え、うず巻きばね３８の巻き戻し力により、蓋体Ｃ１が開放方向に付勢され、円弧壁３２下端の係止部３５が、係止部２２に接するまで廻動して、開蓋される。
【００１８】
容器Ａを傾け、口部１が下方に向けるよう容器Ａを傾けて振ることによって、振出し孔１７から調味料が振り出される。
振り出し終了後、容器Ａを直立させ、蓋体Ｃ１を閉じると、うず巻きばね３８は巻き締めされ、蓋体Ｃ１の円弧壁３１の係止部３４が、キャップ基体Ｂの係合突起２０の下面に係合することによって、閉鎖状態を維持することができる。
使用後の容器の廃棄にあたって、キャップ本体Ｂを容器Ａから取り外し、キャップ本体Ｂをそのまま廃棄することができる。
【００１９】
前記実施形態では、角軸３６をばね基部３７、うず巻きばね３８とを一体としたが、角軸３６とばね基部３７とを別体として成形してもよい。
その場合でも、角軸３６をばね基部３７に嵌挿し、角軸３６をキャップ本体Ｂの軸受け部１２に嵌挿させることによって、開閉蓋Ｃを簡単に取着することができる。
【００２０】
さらにまた、前記実施形態では、うず巻きばねを開閉蓋の円弧壁の下端に連接するように一体成形したが、うず巻きばねを別体として成形し、円弧壁の内側下端を肉厚部として、該肉厚部に、うず巻きばね先端を嵌着させるための嵌挿溝を設けて結合するようにしてもよい。
そうすることによって、蝶番機構の部品を成形するための金型の製造をより簡単なものにすることができる。
【００２１】
【発明の効果】
本発明は、上記のように構成されているから、次の効果を奏する。
開閉蓋の蓋体と、蝶番機構の角軸、うず巻きばねが、一体成形される場合は、蝶番機構の部品数が少なくなり、開閉蓋の組立取付がきわめて簡単にできる。
また従来の金属ばねに変え、ばねをうず巻きばねとし合成樹脂を用いて成形しているので、容器の廃棄時に金属ばねを取り外す必要がなく、キャップをそのまま廃棄することができる。
【図面の簡単な説明】
【図１】本発明振出し容器の斜視図である。
【図２】振出し容器の断面側面図である。
【図３】キャップ本体の説明図で、（ａ）は断面側面図、（ｂ）は上面図である。
【図４】  キャップ本体の底面図である。
【図５】  開閉蓋の説明図で、（ａ）は断面側面図、（ｂ）は底面図である。
【図６】  従来の振出し容器の説明図である。
【符号の説明】
Ａ、Ａａ    容器
Ｂ、Ｂａ    キャップ基体
Ｃ、Ｃａ    開閉蓋
Ｃ１        蓋体
Ｃ２        蝶番機構
４          側周壁
５          頂壁
６          内筒
７          切欠
８ａ，ｂ    側壁
９          内側壁
１０        底壁
１１        凹部
１２        軸受け部
１３        蝶番受け
１５        傾斜面
１６        押え
１７        振出し孔
１８        上壁
１９        壁面
２２        係止部
３０        頂壁
３１、３２  円弧壁
３３        栓体
３４、３５  係止部
３６        角軸
３７        ばね基部
３８        うず巻きばね
【図１】
0003999451.tif 000002
【図２】
0003999451.tif 000003
【図３】
0003999451.tif 000004
【図４】
0003999451.tif 000005
【図５】
0003999451.tif 000006
【図６】
0003999451.tif 000007